(57)【要約】【課題】本発明の課題は、校正情報が迅速に伝達できて、校正情報の内容が理解しやすくて、的確に編集データを修正できるＤＴＰシステムを提供することである。【解決手段】校正記入媒体のドットパターンを撮影して、符号化されたドットパターン情報を含む電子ペンデータを作成して、中継端末装置に、送信する電子ペンと、入力された原稿識別情報を、受信した電子ペンデータに、追加して、校正画像サーバ装置に、送信する中継端末装置と、対応表を参照して、受信した電子ペンデータの符号化されたドットパターン情報を、座標値情報に変換して、原稿識別情報を含む校正画像データを作成して、ＤＴＰ装置に送信する校正画像サーバ装置と、受信した校正画像データの原稿識別情報に対応する編集データから、編集画像を生成して、受信した校正画像と、重ねて表示するＤＴＰ装置と、がネットワーク接続されたＤＴＰシステムである。【選択図】図１
2008084045.tif 000002
【特許請求の範囲】
【請求項１】
電子ペンが接続された中継端末装置と、校正画像サーバ装置と、編集装置と、がネットワーク接続されたＤＴＰシステムであって、
前記電子ペンが読み取れるドットパターンが印刷された校正記入媒体を用いたＤＴＰシステムであって、
前記電子ペンは、
記憶手段と、
電子ペンのペン先の筆圧を検知する筆圧検知手段と、
校正記入媒体のドットパターンを照明する照明手段と、
前記照明されたドットパターンを撮像して、撮影データを記憶手段に、記録する撮影手段と、
撮影データから、符号化されたドットパターン情報を作成する符号化手段と、
符号化されたドットパターン情報を含む電子ペンデータを作成して、中継端末装置に、送信する電子ペンデータ作成送信手段と、
を備える電子ペンであって、
前記中継端末装置は、
電子ペンデータを、電子ペンから受信して、保持する電子ペンデータ受信保持手段と、
選択指定情報の入力を受け付けて、前記保持された電子ペンデータから、電子ペンデータを選択する電子ペンデータ選択手段と、
原稿識別情報の入力を受け付ける原稿識別情報入力手段と、
前記入力された原稿識別情報を、前記選択された電子ペンデータに追加して、校正画像サーバ装置に、送信する電子ペンデータ送信手段と、
を備える端末装置であって、
前記校正画像サーバ装置は、
符号化されたドットパターン情報と座標値情報と対応づけた対応表を記憶する記憶手段と、
電子ペンデータを、中継端末装置から受信する電子ペンデータ受信手段と、
前記受信した電子ペンデータのドットパターン情報を用いて、対応表を参照して、座標値情報に、変換する座標変換手段と、
座標値情報を用いて、前記受信した電子ペンデータの原稿識別情報を含む校正画像データを作成して、保持する校正画像作成手段と、
ＤＴＰ装置から、校正画像送信要求を受け付けて、これに含まれる原稿識別情報をキーにして、前記保持された校正画像データの原稿識別情報を参照して、キーと一致する原稿識別情報を持つ校正画像データを、選択して、返信する校正画像返信手段と、
を備えるサーバ装置であって、
前記ＤＴＰ装置は、
原稿識別情報と対応付けた編集データを記憶する記憶手段と、
原稿識別情報の入力を受け付ける原稿識別情報入力手段と、
前記入力された原稿識別情報を含む校正画像送信要求を、校正画像サーバ装置に発行して、返信された校正画像データを受信する校正画像受信手段と、
前記受信された校正画像データを表示する校正画像表示手段と、
前記入力された原稿識別情報を用いて、これに対応する編集データを、前記記憶された編集データから、選択する編集データ選択手段と、
前記選択された編集データから、編集画像を生成して、前記表示された校正画像に重ねて、表示する編集画像作成表示手段と、
を備えるＤＴＰ装置である、
ことを特徴とするＤＴＰシステム。
【請求項２】
前記校正画像サーバ装置は、
位置合せ欄の座標値情報を用いて、校正画像の位置合せマークと編集画像のトンボマークとが一致するように、校正画像データの位置情報を調整する校正画像位置調整手段と、
を備えるサーバ装置である、
ことを特徴とする請求項１に記載のＤＴＰシステム。
【請求項３】
前記電子ペンは、
前記記憶手段が、電子ペン識別情報を記憶して、
前記電子ペンデータ作成送信手段が、符号化されたドットパターン情報とペン識別情報とを含む電子ペンデータを作成して、中継端末装置に、送信する、
電子ペンであって、
前記校正画像サーバ装置は、
前記校正画像作成手段が、座標値情報を用いて、前記受信した電子ペンデータの原稿識別情報とペン識別情報を含む校正画像データを作成して、保持して、
前記校正画像データ返信手段が、原稿識別情報とペン識別情報とを含む校正画像送信要求を、ＤＴＰ装置から受け付けて、この原稿識別情報とペン識別情報とに対応する校正画像データを、前記保持された校正画像データから、選択して、返信する、
サーバ装置であって、
前記ＤＴＰ装置は、
前記校正画像受信表示手段が、校正画像サーバ装置から返信された校正画像データを受信して、校正画像データのペン識別情報によって、表示色を異ならせて、表示する
ＤＴＰ装置である、
ことを特徴とする請求項１、または、請求項２に記載のＤＴＰシステム。
【請求項４】
前記校正画像作成手段が、所定の色情報の背景色であって、座標値情報から、所定の距離の内側の領域が無色透明な背景色である校正画像データを作成する、
ことを特徴とする請求項１から、請求項３までのいずれか一項に記載のＤＴＰシステム。
【請求項５】
符号化されたドットパターン情報と座標値情報と対応づけた対応表と、
原稿識別情報と対応付けた編集データと、
を用いたＤＴＰ方法であって、
電子ペンが読み取れるドットパターンが印刷された校正記入媒体を用いたＤＴＰ方法であって、
電子ペンのペン先の筆圧を検知して、校正記入媒体のドットパターンを照明する照明ステップと、
前記照明されたドットパターンを撮像して、符号化されたドットパターン情報を作成する符号化ステップと、
符号化されたドットパターン情報を含む電子ペンデータを、作成する電子ペンデータ作成ステップと、
原稿識別情報の入力を受け付けて、これを、前記作成された電子ペンデータに追加して、送信する電子ペンデータ送信ステップと、
前記送信された電子ペンデータを受信して、電子ペンデータのドットパターン情報を用いて、対応表を参照して、座標値情報に、変換する座標変換ステップと、
前記変換された座標値情報と前記受信した電子ペンデータの原稿識別情報とを用いて、校正画像データを作成、保持する校正画像作成ステップと、
原稿識別情報を含む校正画像送信要求を受け付けて、この原稿識別情報を持つ校正画像データを、前記保持された校正画像データから選択して、返信する校正画像返信ステップと、
前記返信された校正画像データを受信して、表示する校正画像表示ステップと、
前記表示された校正画像の原稿識別情報を用いて、これに対応する編集データを、前記記憶された編集データから選択して、編集画像を生成して、前記表示された校正画像に重ねて、表示する編集画像作成表示ステップ、
を含む手順でなされることを特徴とするＤＴＰ方法。
【請求項６】
位置合せ欄の座標値情報を用いて、校正画像の位置合せマークと編集画像のトンボマークとが一致するように、校正画像データの位置情報を調整する校正画像位置調整ステップ、
を含む手順でなされることを特徴とする請求項５に記載のＤＴＰ方法。
【請求項７】
電子ペン識別情報と、
を用いたＤＴＰ方法であって、
前記電子ペンデータ作成ステップが、符号化されたドットパターン情報とペン識別情報とを含む電子ペンデータを作成して、
前記校正画像作成ステップが、前記変換された座標値情報と前記受信した電子ペンデータの原稿識別情報とペン識別情報と、を用いて、校正画像データを作成して、保持して、
前記校正画像データ返信ステップが、原稿識別情報とペン識別情報とを含む校正画像送信要求を受け付けて、この原稿識別情報とペン識別情報とに対応する校正画像データを、前記保持された校正画像データから、選択して、返信して、
前記校正画像受信表示ステップが、校正画像サーバ装置から返信された校正画像データを受信して、校正画像データのペン識別情報によって、表示色を異ならせて、表示する、
手順でなされることを特徴とする請求項５、または、請求項６に記載のＤＴＰ方法。
【請求項８】
前記校正画像作成ステップが、所定の色情報の背景色であって、座標値情報から、所定の距離の内側の領域が無色透明な背景色である校正画像データを作成する、
ことを特徴とする請求項５から、請求項７までのいずれか一項に記載のＤＴＰ方法。
【請求項９】
コンピュータに組込むことによって、コンピュータを、請求項１から、請求項４までのいずれか一項に記載のＤＴＰシステムとして動作させるコンピュータプログラム。
【請求項１０】
請求項９に記載のコンピュータプログラムを記録したコンピュータ読取り可能な記録媒体。
【発明の詳細な説明】
【技術分野】
【０００１】
本発明は、印刷校正において、編集データを修正するＤＴＰシステム、および、その方法に関するものである。
【０００２】
従来から、印刷物（たとえば、チラシやカタログ）の校正作業においては、複数の校正者に校正紙を回覧させて、それぞれの校正者が、校正紙に校正情報を記入している。次に、この校正情報が記入された校正紙は、印刷編集所に返送されて、編集者によって、修正作業が行われている。
【背景技術】
【０００３】
たとえば、特許文献１では、校正情報が記入された校正紙を入手して、校正紙に記入された校正情報を画像処理にて抽出して、抽出した校正情報を編集装置に表示させて、編集データを修正させる技術が開示されている。（従来技術１）
【特許文献１】特開平９？２３１３９０号公報（３〜４ページ、図１−３、５）
【発明の開示】
【発明が解決しようとする課題】
【０００４】
ところで、従来技術１では、校正者は、校正紙を、印刷編集所に返却する間際まで、校正作業を行なっており、時間に追われた作業を余儀なくされているという欠点があった。また、編集者は、校正情報が記入された校正紙を入手するまでは、編集データの修正作業に着手したくても、できないという欠点があった。さらに、編集者は、各校正者の校正情報の表示が、編集装置にまとめて表示されるために、校正指示の内容を理解し難いという問題点があった。
【０００５】
本発明はこのような従来技術を考慮してなされたものであって、本発明の課題は、校正情報が迅速に伝達できて、校正情報の内容が理解しやすくて、的確に編集データを修正できるＤＴＰシステムを提供することである。
【課題を解決するための手段】
【０００６】
本発明は、以下のような解決手段により、前記課題を解決する。すなわち、請求項１の発明は、電子ペンが接続された中継端末装置と、校正画像サーバ装置と、編集装置と、がネットワーク接続されたＤＴＰシステムであって、前記電子ペンが読み取れるドットパターンが印刷された校正記入媒体を用いたＤＴＰシステムであって、前記電子ペンは、記憶手段と、電子ペンのペン先の筆圧を検知する筆圧検知手段と、校正記入媒体のドットパターンを照明する照明手段と、前記照明されたドットパターンを撮像して、撮影データを記憶手段に、記録する撮影手段と、撮影データから、符号化されたドットパターン情報を作成する符号化手段と、符号化されたドットパターン情報を含む電子ペンデータを作成して、中継端末装置に、送信する電子ペンデータ作成送信手段と、を備える電子ペンであって、前記中継端末装置は、電子ペンデータを、電子ペンから受信して、保持する電子ペンデータ受信保持手段と、選択指定情報の入力を受け付けて、前記保持された電子ペンデータから、電子ペンデータを選択する電子ペンデータ選択手段と、原稿識別情報の入力を受け付ける原稿識別情報入力手段と、前記入力された原稿識別情報を、前記選択された電子ペンデータに追加して、校正画像サーバ装置に、送信する電子ペンデータ送信手段と、を備える端末装置であって、前記校正画像サーバ装置は、符号化されたドットパターン情報と座標値情報と対応づけた対応表を記憶する記憶手段と、電子ペンデータを、中継端末装置から受信する電子ペンデータ受信手段と、前記受信した電子ペンデータのドットパターン情報を用いて、対応表を参照して、座標値情報に、変換する座標変換手段と、座標値情報を用いて、前記受信した電子ペンデータの原稿識別情報を含む校正画像データを作成して、保持する校正画像作成手段と、ＤＴＰ装置から、校正画像送信要求を受け付けて、これに含まれる原稿識別情報をキーにして、前記保持された校正画像データの原稿識別情報を参照して、キーと一致する原稿識別情報を持つ校正画像データを、選択して、返信する校正画像返信手段と、を備えるサーバ装置であって、前記ＤＴＰ装置は、原稿識別情報と対応付けた編集データを記憶する記憶手段と、原稿識別情報の入力を受け付ける原稿識別情報入力手段と、前記入力された原稿識別情報を含む校正画像送信要求を、校正画像サーバ装置に発行して、返信された校正画像データを受信する校正画像受信手段と、前記受信された校正画像データを表示する校正画像表示手段と、前記入力された原稿識別情報を用いて、これに対応する編集データを、前記記憶された編集データから、選択する編集データ選択手段と、前記選択された編集データから、編集画像を生成して、前記表示された校正画像に重ねて、表示する編集画像作成表示手段と、を備えるＤＴＰ装置である、ことを特徴とするＤＴＰシステムである。
【０００７】
ここで、ドットパターン（たとえば、アノト（登録商標）方式のドット）が印刷された校正記入紙に、記入された校正情報を、迅速に、伝送することが可能である。
【０００８】
請求項２の発明は、前記校正画像サーバ装置は、位置合せ欄の座標値情報を用いて、校正画像の位置合せマークと編集画像のトンボマークとが一致するように、校正画像データの位置情報を調整する校正画像位置調整手段と、を備えるサーバ装置である、ことを特徴とする請求項１に記載のＤＴＰシステムである。
【０００９】
編集画面の上で、校正画面と編集画面の位置調整が、可能である。
【００１０】
請求項３の発明は、前記電子ペンは、前記記憶手段が、電子ペン識別情報を記憶して、前記電子ペンデータ作成送信手段が、符号化されたドットパターン情報とペン識別情報とを含む電子ペンデータを作成して、中継端末装置に、送信する、電子ペンであって、前記校正画像サーバ装置は、前記校正画像作成手段が、座標値情報を用いて、前記受信した電子ペンデータの原稿識別情報とペン識別情報を含む校正画像データを作成して、保持して、前記校正画像データ返信手段が、原稿識別情報とペン識別情報とを含む校正画像送信要求を、ＤＴＰ装置から受け付けて、この原稿識別情報とペン識別情報とに対応する校正画像データを、前記保持された校正画像データから、選択して、返信する、サーバ装置であって、前記ＤＴＰ装置は、前記校正画像受信表示手段が、校正画像サーバ装置から返信された校正画像データを受信して、校正画像データのペン識別情報によって、表示色を異ならせて、表示するＤＴＰ装置である、ことを特徴とする請求項１、または、請求項２に記載のＤＴＰシステムである。
【００１１】
ここで、編集の修正においては、電子ペン識別情報（たとえば、ペンＩＤ）を利用して、各校正者の校正情報を区別できるので、たとえば、校正者ごとに別々に表示したり、校正者ごとに色分けして表示したり、することで、校正指示の内容が理解しやすくなる。
【００１２】
請求項４の発明は、前記校正画像作成手段が、所定の色情報の背景色であって、座標値情報から、所定の距離の内側の領域が無色透明な背景色である校正画像データを作成する、ことを特徴とする請求項１から、請求項３までのいずれか一項に記載のＤＴＰシステムである。
【００１３】
編集校正作業において、校正情報画像の所定背景色（たとえば、薄墨色）に設定することで、編集画面の色調が、校正紙と校正記入用紙とを重ねた状態の色調と同等になるので、見た目の違和感がなくて、校正作業に集中できる。このとき、校正記入用紙に記入された校正情報の輪郭部の背景色が無色透明になるので、編集情報を鮮明に見ることできる。従って、校正作業の能率が向上する。
【００１４】
請求項５の発明は、符号化されたドットパターン情報と座標値情報と対応づけた対応表と、原稿識別情報と対応付けた編集データと、を用いたＤＴＰ方法であって、電子ペンが読み取れるドットパターンが印刷された校正記入媒体を用いたＤＴＰ方法であって、電子ペンのペン先の筆圧を検知して、校正記入媒体のドットパターンを照明する照明ステップと、前記照明されたドットパターンを撮像して、符号化されたドットパターン情報を作成する符号化ステップと、符号化されたドットパターン情報を含む電子ペンデータを、作成する電子ペンデータ作成ステップと、原稿識別情報の入力を受け付けて、これを、前記作成された電子ペンデータに追加して、送信する電子ペンデータ送信ステップと、前記送信された電子ペンデータを受信して、電子ペンデータのドットパターン情報を用いて、対応表を参照して、座標値情報に、変換する座標変換ステップと、前記変換された座標値情報と前記受信した電子ペンデータの原稿識別情報とを用いて、校正画像データを作成、保持する校正画像作成ステップと、原稿識別情報を含む校正画像送信要求を受け付けて、この原稿識別情報を持つ校正画像データを、前記保持された校正画像データから選択して、返信する校正画像返信ステップと、前記返信された校正画像データを受信して、表示する校正画像表示ステップと、前記表示された校正画像の原稿識別情報を用いて、これに対応する編集データを、前記記憶された編集データから選択して、編集画像を生成して、前記表示された校正画像に重ねて、表示する編集画像作成表示ステップ、を含む手順でなされることを特徴とするＤＴＰ方法である。
【００１５】
請求項６の発明は、位置合せ欄の座標値情報を用いて、校正画像の位置合せマークと編集画像のトンボマークとが一致するように、校正画像データの位置情報を調整する校正画像位置調整ステップ、を含む手順でなされることを特徴とする請求項５に記載のＤＴＰ方法である。
【００１６】
請求項７の発明は、電子ペン識別情報と、を用いたＤＴＰ方法であって、前記電子ペンデータ作成ステップが、符号化されたドットパターン情報とペン識別情報とを含む電子ペンデータを作成して、前記校正画像作成ステップが、前記変換された座標値情報と前記受信した電子ペンデータの原稿識別情報とペン識別情報と、を用いて、校正画像データを作成して、保持して、前記校正画像データ返信ステップが、原稿識別情報とペン識別情報とを含む校正画像送信要求を受け付けて、この原稿識別情報とペン識別情報とに対応する校正画像データを、前記保持された校正画像データから、選択して、返信して、前記校正画像受信表示ステップが、校正画像サーバ装置から返信された校正画像データを受信して、校正画像データのペン識別情報によって、表示色を異ならせて、表示する、手順でなされることを特徴とする請求項５、または、請求項６に記載のＤＴＰ方法である。
【００１７】
請求項８の発明は、前記校正画像作成ステップが、所定の色情報の背景色であって、座標値情報から、所定の距離の内側の領域が無色透明な背景色である校正画像データを作成する、ことを特徴とする請求項５から、請求項７までのいずれか一項に記載のＤＴＰ方法である。
【００１８】
請求項９の発明は、コンピュータに組込むことによって、コンピュータを、請求項１から、請求項４までのいずれか一項に記載のＤＴＰシステムとして動作させるコンピュータプログラムである。
【００１９】
請求項１０の発明は、請求項９に記載のコンピュータプログラムを記録したコンピュータ読取り可能な記録媒体である。
【発明の効果】
【００２０】
本願発明によれば、校正者は、校正情報を、ネットワークを経由して、迅速に届けることができるので、従来より、多くの時間を、校正作業に投入することが可能となる。他方、印刷編集者は、作成された校正情報を、ネットワークを経由して、迅速に入手することができるので、直ちに、編集データの修正作業に着手することができる。また、印刷編集者は、各校正者の校正情報を区別できるので、的確に、編集データの修正作業を行うことが可能になる。
【発明を実施するための最良の形態】
【００２１】
（実施例）
以下、図面等を参照しながら、本発明の実施の形態について、更に詳しく説明する。
【００２２】
図１は、ドットパターンが印刷された校正記入用紙を用いたＤＴＰシステム１の全体構成を説明する図である。ドットパターンが印刷された校正記入用紙を用いたＤＴＰシステム１は、校正記入用紙９９５と、電子ペン１００と、中継端末装置３００と、校正画像サーバ装置５００と、編集装置７００と、から、構成される。ドットパターンが印刷された校正記入用紙を用いたＤＴＰシステム１は、電子ペン１００が有線接続、または、無線接続された中継端末装置３００と、校正画像サーバ装置５００と、編集装置７００と、がネットワーク接続される。
【００２３】
電子ペン１００は、圧力センサと、赤外線ＬＥＤと、カメラと、を備える。
電子ペン１００は、圧力センサを用いて、電子ペンのペン先の筆圧を検知して、赤外線ＬＥＤを発光させて、校正記入媒体９９５のドットパターンを照明する。
電子ペン１００は、前記照明されたドットパターンを、内蔵するカメラを用いて撮影して、電子ペンデータを作成して、校正画像サーバ装置５００に、送信する。このカメラは、毎秒１００回程度の撮影を行う。
【００２４】
電子ペン１００は、電子ペン識別情報を記憶する。
【００２５】
校正記入用紙９９５は、電子ペン１００により読み取り可能なドットパターンが印刷された透明、または、半透明な印刷媒体である。このドットパターンは、カーボンを含む専用インキで印刷されいる。電子ペン１００は、この専用インキによるドットパターンのみを認識して、電子ペンデータを作成する。
【００２６】
校正記入用紙９９５は、送信指示記入欄を備える。この送信指示記入欄のドットパターンは、電子ペンデータを、中継端末装置に送信するための指示を、電子ペン１００に与えるように、予め、定義されている。
【００２７】
なお、電子ペン１００のインキは、カーボンを含まないので、校正記入用紙９９５に記入した校正情報をドットパターンとして認識することはない。
【００２８】
中継端末装置３００は、コンピュータプログラムによって制御されるパーソナルコンピュータである。中継端末装置３００は、電子ペン１００から送信された電子ペンデータを、受信して、保持する。また、中継端末装置３００は、電子ペンデータを、校正画像サーバ装置５００に、送信する。
【００２９】
校正画像サーバ装置５００は、コンピュータプログラムによって制御されるサーバコンピュータである。校正画像サーバ装置５００は、電子ペン１００から送信された電子ペンデータ１９９を、受信して、これを用いて、校正画像を生成する。校正画像サーバ装置５００のコンピュータプログラムに機能を追加するときには、プログラム関数（たとえば、.NET FRAMEWORKのＡＰＩなど）を用いて、実現することができる。
【００３０】
ここで、電子ペン１００と、校正記入用紙９９５のドットパターンと、中継端末装置３００や校正画像サーバ装置５００のコンピュータプログラムとの例としては、たとえば、アノト（登録商標）方式によるものを用いる。（詳細は後述する）
【００３１】
編集装置７００は、編集画面７００ａを表示する表示部を備える。編集装置７００は、コンピュータプログラムによって制御されるパーソナルコンピュータである。編集装置７００のコンピュータプログラムは、市販のＤＴＰソフトウエアである。この編集装置７００のコンピュータプログラムに、機能を追加するときには、Java（登録商標）スクリプトと、このコンピュータプログラムが備えるプラグイン機能と、を用いて、実現することができる。
【００３２】
図２は、ドットパターンが印刷された校正記入用紙を用いたＤＴＰシステム１の大まかな処理の流れを説明する図である。校正者は、それぞれが、異なるペン識別情報（ペンＩＤ）を持つ電子ペン１００を用いて、ドットパターンが印刷された校正記入紙９９５に、校正情報を記入する。
【００３３】
電子ペン１００は、筆圧を検知すると、赤外線ＬＥＤが点燈して、内蔵のカメラが、電子ペンの動きに合わせて、校正記入紙９９５のドットパターンを撮像して、符号化されたドットパターン情報を作成する（図２（１））。電子ペン１００は、送信を指示するドットパターン（たとえば、送信欄のドットパターン）を撮像すると、符号化されたドットパターン情報とペンＩＤを含む電子ペンデータを作成して、送信する（同（２））。
【００３４】
中継端末装置３００は、電子ペンデータを受信して、保持する（同（３））。
【００３５】
中継端末装置３００は、原稿識別情報（原稿ＩＤ）の入力を受け付けて、保持した電子ペンデータに、追加して、校正画像サーバ装置５００に、送信する（同（４））。
【００３６】
校正画像サーバ装置５００は、電子ペンデータを受信して、符号化されたドットパターン情報と座標値とを対応付けた対応表を参照して、符号化されたドットパターン情報に対応する座標値を選択する（同（５））。
【００３７】
校正画像サーバ装置５００は、前記選択された座標値を用いて、隣接する座標値を順次接続した線分データを作成する。次に、この線分データを、ビットマップデータに変換する。そして、この変換されたビットマップデータと原稿ＩＤとを用いて、これらを含む校正画像データを作成して、保持する（同（６））。
【００３８】
編集装置７００は、原稿ＩＤの入力を受け付けて、これを含む校正画像送信要求を校正画像サーバ装置５００に、発行する（同（１１））。校正画像サーバ装置５００は、編集装置７００から、校正画像送信要求を受け付けて、これに含まれる原稿ＩＤと一致する原稿ＩＤを持つ校正画像データを、保持されている校正画像データから選択して、返信する（同（１２））。
【００３９】
編集装置７００は、校正画像サーバ装置５００から返信された校正画像データを受信して、校正画像を、表示画面７００ａに表示する（同（１３））。このとき、ペンＩＤ毎に、校正画像の色を変えてもよい。
【００４０】
編集装置７００は、入力された原稿ＩＤと一致する原稿ＩＤを持つ編集データを、記録されている編集データから選択して、校正画像に重ねて、表示画面７００ａに表示する（同（１４））。
【００４１】
編集装置７００は、編集データの修正データの入力を受け付けて、編集データを修正する（同（１５））。
【００４２】
図３は、ドットパターンが印刷された校正記入用紙を用いたＤＴＰシステム１の詳細な構成図である。ＤＴＰシステム１は、電子ペン１００が有線接続、または、無線接続された中継端末装置３００と、校正画像サーバ装置５００と、編集装置７００と、がネットワーク接続されて、構成される。
【００４３】
電子ペン１００は、撮影手段１１０と、符号化手段１２０と、電子ペンデータ作成送信手段１３５と、筆圧検知手段１５０と、照明手段１６０と、記憶手段１９０と、を備える。記憶手段１９０は、電子ペン識別情報１９７を記憶する。
【００４４】
筆圧検知手段１５０は、電子ペンのペン先の筆圧を検知する。照明手段１６０は、校正記入媒体のドットパターンを照明する。
【００４５】
撮影手段１１０は、前記照明されたドットパターンを撮像して、撮影データを記憶手段１９０に、記録する。符号化手段１２０は、記憶手段１９０に、記録された撮影データから、符号化されたドットパターン情報を作成する。
【００４６】
電子ペンデータ作成送信手段１３５は、符号化されたドッタパターン情報とペン識別情報とを含む電子ペンデータを作成して、中継端末装置に、送信する。
【００４７】
中継端末装置３００は、電子ペンデータ受信保持手段３３５と、電子ペンデータ選択手段３２０と、原稿識別情報入力手段３１０と、電子ペンデータ送信手段３４５と、を備える。
【００４８】
電子ペンデータ受信保持手段３３５は、電子ペンデータを、電子ペンから受信して、保持する。
【００４９】
原稿識別情報入力手段３１０は、原稿識別情報の入力を受け付ける。電子ペンデータ選択手段３２０は、選択指示情報の入力を受け付けて、前記保持された電子ペンデータから、電子ペンデータを選択する。電子ペンデータ送信手段３４５は、前記入力された原稿識別情報を、前記選択された電子ペンデータに追加して、校正画像サーバ装置に、送信する。
【００５０】
校正画像サーバ装置５００は、電子ペンデータ受信手段５４５と、座標変換手段５１０と、校正画像位置調整手段５３０と、校正画像作成手段５２０と、校正画像返信手段５５５と、記憶手段５９０と、を備える。記憶手段５９０は、対応表５９１を記憶する。
【００５１】
対応表５９１は、符号化されたドットパターン情報と座標値情報と対応づけた表データである。
【００５２】
電子ペンデータ受信手段５４５は、電子ペンデータを、中継端末装置３００から受信する。座標変換手段５１０は、前記受信した電子ペンデータの符号化されたドットパターン情報をキーにして、対応表の符号化されたドットパターン情報を参照して、前記キーと一致する符号化されたドットパターン情報に対応する座標値情報を、選択する。
【００５３】
校正画像作成手段５２０は、座標値情報を用いて、隣接する座標値を順次接続した線分データを作成して、次に、この線分データを、ビットマップデータに変換して、最後に、この変換されたビットマップデータと原稿識別情報とペン識別情報を含む校正画像データを作成して、保持する。
【００５４】
校正画像返信手段５５５は、原稿識別情報とペン識別情報とを含む校正画像送信要求を、ＤＴＰ装置から受け付けて、この原稿識別情報とペン識別情報とに対応する校正画像データを、前記保持された校正画像データから、抽出して、返信する。
【００５５】
校正画像位置調整手段５３０は、位置合せ欄の座標値情報を用いて、校正画像の位置合せマークと編集画像のトンボマークとが一致するように、校正画像データの表示位置情報を調整する。
【００５６】
ＤＴＰ装置７００は、原稿識別情報入力手段７１０と、校正画像受信手段７５５と、編集データ選択手段７２０と、編集画像作成表示手段７３０と、校正画像表示手段７６０と、記憶手段７９０と、を備える。
記憶手段７９０は、編集データ７９１を記憶する。
【００５７】
編集データ７９１は、原稿識別情報と対応付けたデータである。
【００５８】
原稿識別情報入力手段７１０は、原稿識別情報の入力を受け付ける。
【００５９】
校正画像受信手段７５５は、前記入力された原稿識別情報を含む校正画像送信要求を、校正画像サーバ装置に発行して、返信された校正画像データを受信する。
【００６０】
編集データ選択手段７２０は、前記入力された原稿識別情報を用いて、前記編集データを参照して、対応する編集データを、選択する。編集画像作成表示手段７３０は、前記選択された編集データから、編集画像を生成して、前記表示された校正画像に重ねて、表示する。
【００６１】
校正画像表示手段７６０は、校正画像データのペン識別情報によって、表示色を異ならせて、表示する。
【００６２】
符号化手段１２０と、電子ペンデータ作成送信手段１３５と、電子ペンデータ受信保持手段３３５と、電子ペンデータ選択手段３２０と、原稿識別情報入力手段３１０と、電子ペンデータ送信手段３４５と、座標変換手段５１０と、校正画像作成手段５２０と、校正画像位置調整手段５３０と、電子ペンデータ受信手段５４５と、校正画像返信手段５５５と、原稿識別情報入力手段７１０と、編集データ選択手段７２０と、編集画像作成表示手段７３０と、校正画像受信手段７５５と、校正画像表示手段７６０と、は、コンピュータプログラムである。
【００６３】
電子ペン識別情報１９７と、対応表５９１と、編集データ７９１と、は、コンピュータプログラムが可読なデータである。撮影手段１１０は、デジタル・カメラである。
筆圧検知手段１５０は、圧力センサである。照明手段１６０は、赤外線ＬＥＤである。
記憶手段１９０と、記憶手段５９０と、記憶手段７９０と、は、半導体メモリや、磁気メモリである。
【００６４】
図４は、電子ペンデータ１９９の形式を説明する図である。電子ペンデータ１９９は、管理データ１９９ａと、符号化されたドットパターン情報１９９ｂと、から構成される。管理データ１９９ａは、ユニークな文字列であるペンＩＤと、ユニークな文字列である原稿ＩＤと、を記述する。符号化されたドットパターン情報１９９ｂは、０から３までの数字からなる文字列である。
【００６５】
図５は、対応表５９１の形式と例を説明する図である。対応表５９１は、符号化されたドットパターン情報５９１ａと、座標値情報５９１ｂとを対応付けた表形式のデータである。符号化されたドットパターン情報５９１ａは、図４の符号化されたドットパターン情報１９９ｂと同じである。座標値情報５９１ｂは、Ｘ座標値とＹ座標値を表す数字列である
。
【００６６】
図５には、符号化されたドットパターン情報５９１ａが、「023031132100110032123201113300202111」であって、座標値情報５９１ｂが、「112,189」である対応表５９１が例示されている。
【００６７】
図６は、校正記入用紙９９５の説明図である。図６には、原稿ＩＤ欄９９５ａ、位置合せ欄９９５ｂ、送信欄９９５ｃなどが設けられている校正記入用紙９９５が、例示されている。この校正記入用紙の記入領域には、ドットパターンが印刷されている。
【００６８】
原稿ＩＤ欄９９５ａには、原稿ＩＤが記入される。位置合せ欄９９５ｂには、位置合わせマーク（詳細は後述する）が記入される。送信欄９９５ｃには、送信を指示するための記入がされる。この送信欄９９５ｃには、送信欄を特定することができるドットパターンが印刷されている。なお、図６には、位置合せ欄９９５ｂが対角の位置に２箇所配置された校正記入用紙９９５が、例示されている。
【００６９】
図７は、校正記入用紙の位置合わせの説明図である。校正者は、校正紙９９１の上に、校正記入用紙９９５を重ねる。このとき、校正者は、位置合せ欄９９５ｂの中に、校正紙のトンボマーク９９１ｂが納まるように、校正記入用紙９９５を配置する。次に、校正者は、トンボマーク９９１ｂをなぞって、位置合わせマークを、位置合せ欄９９５ｂに、記入する。なお、この位置合わせマークは、編集画像と校正画像とを重ねて、編集画面７００ａに表示する時の手がかりに用いる。（詳細は、後述する）
【００７０】
図８は、校正記入用紙の記入例である。図８には、トンボマークの位置合わせ線と、原稿ＩＤと、校正の指示などが記入されている校正記入用紙が、例示されている。
【００７１】
図９は、１つのドットの符号化を説明する図である。ドットは、等間隔に配置されているドット配置基準線８０５ａ／８０５ｂの交点の右、上、左、下の、いずれかに、配置される。この４箇所の配置位置は、それぞれ、ドット配置の符号化の値（0，1，2，3）が対応付けられる。ちなみに、前記ドットは、２ｍｍ×２ｍｍ四方に、６×６個を単位に配置されている。
【００７２】
図１０は、校正記入用紙９９５上に形成されたドットパターンを符号化する手順を説明する図である。電子ペン１００は、校正記入用紙の６×６個のドットパターン９９５ｐを撮像して、符号化する。図１０には、２ｍｍ×２ｍｍ四方に存在する６×６個のドットの符号化手順が例示されている。
【００７３】
電子ペン１００は、ペン先に筆圧が加えられたことを検知すると、外線ＬＥＤを発光させて、校正記入媒体９９５のドットパターンを照明して、この照明されたドットパターン９９５ｐを、内蔵するカメラに撮像させる（図１０（１））。電子ペン１００は、撮像したドットを１個ずつ符号化する（同（２））。電子ペン１００は、６×６個のドットの符号をまとめて、符号化されたドットパターン情報（たとえば、「023031132100110032123201113300202111」）を作成して保持する（同（３））。さらに、電子ペン１００は、ペンの移動に従って、（１）に戻る（同（４））。
【００７４】
このように、電子ペン１００は、ペン先の動きにそってドットパターンを撮影して、符号化されたドットパターン情報を作成して、保持する。ここで、電子ペン１００は、送信欄９９５ｃのドットパターンが撮像されて、送信欄の符号化されたドットパターン情報が作成されて、これを検知した場合は、この保持されている符号化されたドットパターン情報を用いて、電子ペンデータ１９９を作成して、送信する（同（５））。
【００７５】
図１１は、符号化されたドットパターン情報から校正画像を作成する手順の説明図である。
電子ペン１００は、ペン先の動きにそってドットパターンを撮影して、符号化されたドットパターン情報を作成する（図１１（１））。校正画像サーバ装置５００は、対応表５９１を参照して、符号化されたドットパターン情報を、座標値情報（たとえば、Ｘ，Ｙ座標値）に変換する（同（２））。校正画像サーバ装置５００は、座標値情報を用いて、隣接する座標値を順次接続した線分データを作成して、次に、この線分データを、ビットマップデータに変換して、最後に、この変換されたビットマップデータと原稿ＩＤとを含む校正画像データをを作成する（同（３））。
【００７６】
図１２は、校正画像と編集画像とを重ねた編集画面を作成する手順を説明する図である。編集装置７００は、入力を受け付けた原稿ＩＤと同じＩＤを持つ校正画像データを、校正画像サーバ装置５００から受信して、校正画像を作成する（図１２（１））。また、編集装置７００は、入力を受け付けた原稿ＩＤと同じＩＤを持つ編集データ７９１を、記憶する編集データ７９１から選択して、編集画像を作成する（同（２））。編集装置７００は、校正画像と編集画像とを重ねて、編集画面７００ａに表示する。（同（３））。
【００７７】
このとき、校正画像や編集画像の位置を調整するプラグインソフトを作成して、ＤＴＰソフトウエアに追加してもよい。
【００７８】
あるいは、校正画像サーバ装置５００は、校正画像の位置合わせマークの座標情報が、編集画像のトンボマーク位置座標情報に一致するように、校正画像を作成してもよい。そうすることによって、編集装置７００にて、位置合わせマークとトンボマークとを位置させる操作を行わなくてもよくなる。
【００７９】
また、校正画像サーバ装置５００は、原稿ＩＤ欄９９５ａの原稿ＩＤの符号化されたドットパターン情報を用いて、文字認識辞書データを参照して、原稿ＩＤ文字列を文字認識して、得てもよい。この場合には、中継端末装置３００は、なくてもよい。
【００８０】
なお、各校正者の校正指示を区別する場合には、電子ペン１００のペンＩＤを用いて、校正画像の表示色をそれぞれ変更して表示すればよい。
【００８１】
（変形例）
次に、背景色を持つ校正画像を用いたＤＴＰシステムの変形例を説明する。
【００８２】
図１３は、背景色を薄墨色に設定した校正画像９９５の作成手順を説明する図である。
【００８３】
校正画像サーバ装置５００は、背景色が薄墨色の背景用ビットマップデータ５９３ａを作成する（図１３（１））。
校正画像サーバ装置５００は、電子ペンデータ１９９の符号化されたドットパターン情報を用いて、対応表５９１を参照して、座標値情報に変換する（同（２））。
この座標値情報を用いて、座標値情報から所定の距離の境界線の内側が無色透明な領域データを作成して、ビットマップデータを作成して、背景用ビットマップデータ５９３ａに上書きして、変更した背景用ビットマップデータ５９３ｂを作成する（同（３））。（詳細は後述する）
【００８４】
座標値情報から線分データを作成して、これを校正情報のビットマップデータ５９３ｃに変換する（同（４））。
【００８５】
変更した背景用ビットマップデータ５９３ｂと校正情報のビットマップデータ５９３ｃとを重ね合わせて、背景色を持つ校正画像５９３を作成する（同（５））。
【００８６】
このようにして、校正情報の輪郭部分の背景色が、無色透明になる。
【００８７】
図１４は、背景色を変更する境界線が円弧の例である。
図１３（３）において、この座標値を中心にして、所定の半径（たとえば、１ｃｍ）の円周を境界線とする無色透明な領域データを作成する。この無色透明な領域は、各座標値を中心にした円の重なりとなった領域である。
【００８８】
図１５は、背景色を持つ校正画像と編集画像とを重ねた編集画面を作成する手順を説明する図である。
編集装置７００は、入力を受け付けた原稿ＩＤと同じＩＤを持つ校正画像データと、校正画像サーバ装置５００から受信して、背景色を持つ校正画像を作成する（図１５（１））。このとき、校正画像の背景色は、たとえば、校正情報の輪郭部が無色透明な、薄墨色である。（図１５（２））と（図１５（３））とは、それぞれ、（図１２（２））と（図１２（３））と、同じである。
【００８９】
図１６は、編集画面の例である。校正情報の輪郭部が、無色透明であって、編集情報（文字や写真）を、明瞭に見ることができる。
【００９０】
このように、編集校正作業において、校正画像の背景色を薄墨色に設定することで、校正紙校と正記入用紙とを重ねた状態の色調と同等になるので、見た目の違和感がなくて、校正作業に集中できる。このとき、校正記入用紙に記入された校正情報の輪郭部を無色透明にすることで、校正情報が見やすくなり、校正情報の見落としを防ぐことが可能となり、修正ミスを軽減することができる。
【００９１】
以上詳しく説明したように、本願発明によれば、校正者は、校正情報を、ネットワークを経由して、迅速に届けることができるので、従来より、多くの時間を、校正作業に投入することが可能となった。他方、印刷編集者は、作成された校正情報を、ネットワークを経由して、迅速に入手することができるので、直ちに、編集データの修正作業に着手することが可能となった。また、印刷編集者は、各校正者の校正情報を区別できるので、的確に、編集データの修正作業を行うことが可能になった。
【図面の簡単な説明】
【００９２】
【図１】ドットパターンが印刷された校正記入用紙を用いたＤＴＰシステムの全体構成
【図２】ドットパターンが印刷された校正記入用紙を用いたＤＴＰシステム１の大まかな処理の流れ
【図３】ドットパターンが印刷された校正記入用紙を用いたＤＴＰシステム１の詳細な構成図
【図４】電子ペンデータの形式
【図５】対応表の形式
【図６】校正記入用紙
【図７】校正記入用紙の位置あわせ
【図８】校正情報を記入した校正記入用紙の例
【図９】１つのドットの符号化
【図１０】校正記入用紙の６×６個のドットを符号化する手順
【図１１】校正画像の作成手順
【図１２】校正画像と編集画像とを重ねた編集画面を作成する手順
【図１３】（変形例）背景色を持つ校正画像の作成手順
【図１４】校正画像の背景色の一部を、無色透明な領域に変更する手順（例１）
【図１５】背景色を持つ校正画像と編集画像とを重ねた編集画面を作成する手順
【図１６】背景色を持つ校正画像の編集画面の例
【符号の説明】
【００９３】
１  ＤＴＰシステム
１００  電子ペン
１１０  撮像手段
１２０  符号化手段
１３５  電子ペンデータ作成送信手段
１９０  記憶手段
１９７  電子ペン識別情報
１９９  電子ペンデータ
１９９ａ  管理データ
１９９ｂ  符号化されたドットパターン情報
３００  中継端末装置
３１０  原稿識別情報入力手段
３２０  電子ペンデータ選択手段
３３５  電子ペンデータ受信保持手段
３４５  電子ペンデータ送信手段
３９０  記憶手段
５００  校正画像サーバ装置
５１０  座標変換手段
５２０  校正画像作成手段
５３０  校正画像位置調整手段
５４５  電子ペンデータ受信手段
５５５  校正画像返信手段
５９０  記憶手段
５９１  対応表
７００  ＤＴＰ装置
７００ａ  編集画面
７１０  原稿識別情報入力手段
７２０  編集データ選択手段
７３０  編集画像作成表示手段
７５５  校正画像受信手段
７６０  校正画像表示手段
７９０  記憶手段
７９１  編集データ
８０５ａ  ドット配置基準線
８０５ｂ  ドット配置基準線
９９１  校正紙
９９５  校正記入用紙
９９５ａ  原稿ＩＤ欄
９９５ｂ  位置合せ欄
９９５ｃ  送信欄
９９５ｐ  ドットパターン
【図１】
2008084045.tif 000003
【図２】
2008084045.tif 000004
【図３】
2008084045.tif 000005
【図４】
2008084045.tif 000006
【図５】
2008084045.tif 000007
【図６】
2008084045.tif 000008
【図７】
2008084045.tif 000009
【図８】
2008084045.tif 000010
【図９】
2008084045.tif 000011
【図１０】
2008084045.tif 000012
【図１１】
2008084045.tif 000013
【図１２】
2008084045.tif 000014
【図１３】
2008084045.tif 000015
【図１４】
2008084045.tif 000016
【図１５】
2008084045.tif 000017
【図１６】
2008084045.tif 000018